(57)【要約】      （修正有）【課題】スポーツや激しい動きをする人がウィルスの感染対策しながらスポーツを楽しむことができる安心・安全なスポーツ用フェイスシールドを提供する。【解決手段】スポーツ用フェイスシールドは、シールド部とヘッドバンドを含み、ヘッドバンドの頭部装着部に３分割の軟質ポリウレタンフォーム材を設置し、フェイスシールド上部左右２か所でヘッドバンドと固定することでフェイスシールドが落ちたり、移動したりしにくく、フェイスシールド内に発生した熱・蒸気を排出できる。【選択図】図１
0003229193.tif 000002
【実用新案登録請求の範囲】
【請求項１】
ジョギングや室内でのスポーツ実施時、動いても外れず、超軽量の為、装着感なくスポーツに集中できるフェイスシールド。マスク代替として使用することで熱中症防止の一助も担う咳・唾液飛散防止のエチケット商品となる。
［図１］の通り、頭部装着部に３分割の軟質ポリウレタンフォーム材を使用することで以下の特徴を有する。
・ヘッドバンドを強固に締めた際、３分割のパーツがそれぞれ絞り込まれ頭部に固定されてフェイスシールドが落ちたり、移動したりしにくくなる。（スポーツ用途の必須要件）
・３分割のパーツ間に空間ができる為、ファイスシールド内に発生した熱、蒸気を排出する為の道筋となる。スポーツ時のマスク代替と使用することで熱中症等防止への効果が期待できる
・材質がポリウレタンフォーム系の為、汗が染み込みにくい。
長時間使ってもジメジメしにくい。
・頭部に当たるパーツを３分割とする事で部品の軽量化が図れる。
・しっかり固定されているので風に左右されにくい。
【請求項２】
フェイスシールドの上部左右に図１のような突出部を設定する。
このスペースを活用して左右それぞれ２か所に図示の通りの縦長の孔を設置する。それぞれ２か所設定することで組み立て時、ヘッドバンドとフェイスシールドが完全に固定することで以下の効果を創出する。
・フェイスシールドとヘッドバンドが上記の連結で強固に固定されている為、スポーツプレイ時フェイスシールドが落ちたりずれたりしにくい。
・使用時曲面シールドになるため熱線・紫外線を顔面到達前に一部遮断するので応分の熱線カット、紫外線カット効果が得られる。
・マスクの様に呼吸が妨げられないので、涼しく感じる。
・飛沫拡散防止効果が期待できる。
【考案の詳細な説明】
【技術分野】
【０００１】  本考案は、咳・唾液の飛散防止の本来目的を達成しながら、外部で安心してスポーツを楽しめる様、考案したスポーツ用フェイスシールドに関するものである。
【背景技術】従来スポーツを実施する際にマスクやフェイスシールドが使用されることはほとんどなかった。フェイスシールドはほぼ医療分野等の限られた分野のみで使用されていた。【０００２】従来型のフェイスシールドは長時間装着するには重く且スポーツの激しい動きには追随できず、無理に使用しても脱落やずれの問題があった。【０００３】  マスクは、内部に熱がこもり  熱中症の危険があり、従来型のフェイスシールドは軽量化が不十分でかつ頭部装着時、不安定であった為、スポーツ用には適さなかった・【０００４】しかし新型コロナウィルス拡散防止の観点から、スポーツの際の対応が必要になってきた。その要件を満たすフェイスシールドの考案が急務となった。
【考案の概要】
【考案が解決しようとする課題】  ＜取組事項＞
［スポーツ用のフェイスシールドの開発］
＜課題の具体的な項目＞
▲１▼スポーツしても落ちない、ずれない安定した固定法。
▲２▼外部でプレーしても涼しく感じる。
▲３▼唾液・咳の飛沫拡散防止効果を有する。
▲４▼超軽量で装着時、違和感を感じない。
▲５▼外部プレーの場合、ある程度熱線・紫外線低減効果が期待できる。
▲６▼防風、防汗効果でプレーに集中できる。
▲７▼長時間使ってもジメジメしない
▲８▼スタイリッシュでスマートな形状
【課題を解決するための手段】［安定的な固定方式の考案とシールド内の籠り熱放射構造を取ることで問題解決］
［図１］の通り、頭部装着部に３分割の軟質ポリウレタンフォーム材を使用することで以下の特徴を有する。
・ヘッドバンドを強固に締めた際、３分割のパーツがそれぞれ絞り込まれ頭部に固定されてフェイスシールドが落ちたり、移動したりしにくくなる。（スポーツ用途の必須要件）
・３分割のパーツ間に空間ができる為、ファイスシールド内に発生した熱、蒸気を排出する為の道筋となる。スポーツ時のマスク代替と使用することで熱中症等防止への効果が期待できる
同様にフェイスシールドの上部左右に図１のような突出部を設定する。
このスペースを活用して左右それぞれ２か所に図示の通りの縦長の孔を設置する。それぞれ２か所設定することで組み立て時、ヘッドバンドとフェイスシールドが完全に固定することで以下の効果を創出する。
・フェイスシールドとヘッドバンドが上記の連結で強固に固定されている為、スポーツプレイ時フェイスシールドが落ちたりずれたりしにくい。
・使用時曲面シールドになるため熱線・紫外線を顔面到達前に一部遮断するので応分の熱線カット、紫外線カット効果が得られる。
・マスクの様に呼吸が妨げられないので、涼しく感じる。
【考案の効果】［使用者の幅の拡大］
新型コロナウィルス以降スポーツをする場合でも、飛沫感染防止策が必要になったが、今回の考案によるフェイスシールドを装着してスポーツを楽しむことができるようになった。
［安定した固定方式のフェイスシールド考案の効果］
スポーツする際フェイスシールドを使用できるようになる事で、長時間で装着感のない、違和感をない形でのプレーが可能になった。
又副次的にシールド面が熱線・ＵＶを顔面に直達するのをシールド局面での反射という形で一部軽減できる。
て式への変更による低コスト化が実現する。
【図面の簡単な説明】［スポール用フェイスシールドの図面］
【図１】図面
【本案を実施する為の形態】
［スポーツ用のフェイスシールド］
以下、本案考案の実施の実体を図に基づいて説明する。
【実施例１】［図面］
［図１］の通り、頭部装着部に３分割の軟質ポリウレタンフォーム材を使用することで固定性の強化及び通気性を確保する。
フェイスシールドの上部左右に図１のような突出部を設定する。
このスペースを活用して左右それぞれ２か所に図示の通りの縦長の孔を設置する。それぞれ２か所設定することで組み立て時、ヘッドバンドとフェイスシールドが完全に固定する。
【産業上の利用の可能性】
ジョギング、ゴルフ等の外部でのスポーツ及び室内スポーツ全般のみならず激しい動きを伴う産業現場での使用の可能性がある。
【図１】
0003229193.tif 000003
【手続補正書】
【提出日】令和2年8月11日(2020.8.11)
【手続補正１】
【補正対象書類名】実用新案登録請求の範囲
【補正対象項目名】全文
【補正方法】変更
【補正の内容】
【実用新案登録請求の範囲】
【請求項１】
ジョギングやその他スポーツの実施時、動いても外れず、超軽量で装着感なくスポーツに集中でき、又マスク代替として咳・唾液飛沫防止となる様、シールド部と頭部装着部との間に３分割の軟質ポリウレタンフォーム等の軟質材料を設置して、ヘッドバンドを強固に締めた際、３分割のパーツがそれぞれ絞り込まれ頭部に固定されてフェイスシールドが落ちたり、移動したりしにくくし、かつ３分割のパーツ間に空間ができる為、フェイスシールド内に発生した熱・蒸気を排出する事でシールド表面に曇り止め効果を創出する構造にしたスポーツ用フェイスシールド
【請求項２】
フェイスシールド上部の左右２か所に頭部への密着度を向上させる目的での吐出部を設定・面積拡大し、この左右吐出部にそれぞれ縦長のヘッドバンドの固定の為の２つの孔を設置することでフェイスシールドの頭部への密着度とヘッドバンドとフェイスシールドの固定がより強くなるようにした構造